(57)【特許請求の範囲】
【請求項１】
建具枠に建具体が取付けられ、その建具体の框に操作部材を取付けた建具であって、
前記操作部材は、本体と、その本体に設けた弾性部材と、その弾性部材に設けた操作部を備え、
前記操作部材の本体は、第１本体部と第２本体部と第１側面板と第２側面板で第１・第２本体部が短辺で、第１・第２側面板が長辺である略長方形の枠形状で、その第１側面板と第２側面板が框の対向した２つの板状部の内面に接しながら当該框の長手方向に移動可能で、
前記第１・第２側面板の少なくとも一方に、長辺方向に向かう一対のスリットを形成し、この一対のスリット間の部分を、前記框の板状部に向かう方向に弾性変形可能な弾性部材とし、その一対のスリット間の部分に操作部を設け、
この操作部は、その側面が本体の第１・第２側面板の少なくとも一方よりも側方に張り出し、かつその側面が本体の第１・第２側面板の少なくとも一方と面一となるまで弾性部材が弾性変形するようにし、
前記操作部材は、前記框の対向した２つの板状部間に、前記操作部が前記板状部に形成した開口部から突出して設けられていることを特徴とする建具。
【請求項２】
框の板状部に形成した開口部の当該框の長手方向の寸法を、操作部材の操作部の当該框の長手方向の寸法よりも大きくした請求項１記載の建具。
【発明の詳細な説明】
【技術分野】
【０００１】
本発明は、折戸、ドア、引き窓等の建具枠に建具体を開閉自在に取付けた建具、詳しくは、建具体に操作部材を取付ける構造に関する。
【背景技術】
【０００２】
従来、折戸としては、第１の扉体の戸先側と第２の扉体の戸先側が折曲自在に連結され、その第１の扉体の吊元側が枠体にヒンジ部材で回動自在に連結され、第２の扉体の吊元側が枠体に摺動子で摺動自在に支持され、第１の扉体と第２の扉体を折曲することで開き状態とし、第１の扉体と第２の扉体を直線状とすることで閉じ状態とする折戸が知られている。
【０００３】
従来、ドアとしては、ドア枠にドアの吊元側がヒンジで回動自在に連結され、そのドアの戸先側に取付けた把手を持ってドアを開閉操作するドアが知られている。
従来、引き窓としては、窓枠に障子を面内方向に移動自在に取付け、その障子に取付けた引手を持って開閉操作する引き窓が知られている。
【０００４】
前述した折戸を浴室の出入口に用いると、浴室使用者が浴室内で倒れた非常時に、脱衣室側から他の人が第１・第２の扉体を開放して倒れた浴室使用者を救出することがあるが、浴室内で倒れた浴室使用者に第１・第２の扉体が当り開放できないことがある。
そこで、特許文献１で開示したように、第１の扉体の吊元側に設けたヒンジ部材を下方に移動できる操作レバーと、第２の扉体の吊元側に設けた摺動子を下方に移動できる操作レバーを取付け、前述した非常時には脱衣室側から前述の操作レバーを操作してヒンジ部材、摺動子を下方に移動し、第１・第２の扉体を枠体から取り外しできるようにした折戸が提案されている。
【特許文献１】特開平１０−１４０９２５号公報
【発明の開示】
【発明が解決しようとする課題】
【０００５】
前述した従来の折戸においては、第１の扉体の吊元側の縦框にヒンジ部材を取付けると共に、操作レバーを取付け、その操作レバーと前記ヒンジ部材を連結し、第２の扉体の吊元側の縦框に摺動子を取付けると共に、操作レバーを取付け、その操作レバーと前記摺動子を連結している。
このようであるから、操作レバーの取付け作業が面倒である。
また、前述した従来のドアにおいては、ドアの戸先側の縦框に把手をビス等で固着して取付けているので、その把手の取付け作業が面倒である。
また、前述した従来の引き窓においては、障子の縦框に引手をビス等で固着して取付けているので、その引手の取付け作業が面倒である。
【０００６】
このように、従来の折戸、ドア、引き窓などの建具においては、扉体、ドア、障子等の建具体の縦框に、操作レバー、把手、引手等の操作部材を面倒な取付け作業で取付けしなければならない。
【０００７】
本発明の目的は、建具体の框に操作部材を簡単な作業で取付けできるようにした建具とすることである。
【課題を解決するための手段】
【０００８】
本発明は、建具枠に建具体が取付けられ、その建具体の框に操作部材を取付けた建具であって、
前記操作部材は、本体と、その本体に設けた弾性部材と、その弾性部材に設けた操作部を備え、
前記操作部材の本体は、第１本体部と第２本体部と第１側面板と第２側面板で第１・第２本体部が短辺で、第１・第２側面板が長辺である略長方形の枠形状で、その第１側面板と第２側面板が框の対向した２つの板状部の内面に接しながら当該框の長手方向に移動可能で、
前記第１・第２側面板の少なくとも一方に、長辺方向に向かう一対のスリットを形成し、この一対のスリット間の部分を、前記框の板状部に向かう方向に弾性変形可能な弾性部材とし、その一対のスリット間の部分に操作部を設け、
この操作部は、その側面が本体の第１・第２側面板の少なくとも一方よりも側方に張り出し、かつその側面が本体の第１・第２側面板の少なくとも一方と面一となるまで弾性部材が弾性変形するようにし、
前記操作部材は、前記框の対向した２つの板状部間に、前記操作部が前記板状部に形成した開口部から突出して設けられていることを特徴とする建具である。
【００１０】
本発明においては、框の板状部に形成した開口部の当該框の長さ方向の寸法を、操作部材の操作部の当該框の長手方向の寸法よりも大きくできる。
このようにすれば、操作部材を框の長手方向に移動することができるので、折戸のヒンジ部材の回転子や摺動部材の摺動子、ロック部材のロック片と操作部材を連結することで、それらを框の長手方向に移動できる。
【発明の効果】
【００１１】
本発明によれば、本体を框の対向した２つの板状部の内面に沿って移動することで、操作部によって弾性部材が弾性変形して操作部が２つの板状部間に入り込み、開口部と合致することで弾性部材の弾性復元力で操作部が開口部から突出するので、操作部材を框の２つの板状部間に、その框の長手方向に挿入することで取付けでき、建具体の框に操作部材を簡単な作業で取付けできる。
しかも、取付けた状態で本体の第１側面板、第２側面板が框の２つの板状部の内面に接しているから、操作部材を安定して支持できる。
さらに、本体と弾性部材が一体であるから、部品点数が少なく、本体と弾性部材を連結する作業が不要である。
また、第１本体部と第２本体部の中間に操作部が位置し、その操作部が框の対向した２つの板状部の内面に接するからスリット間の部分がほぼＶ字状に弾性変形するから、操作部材を框に押し込む力を小さくできる。
また、取付けた状態で第１本体部と第２本体部と第１・第２側面板のスリットの外側部分が框の２つの板状部の内面に接しているので、操作部材を安定して支持できる。
【発明を実施するための最良の形態】
【００１２】
本発明の第１の実施の形態を説明する。
図１に示すように、第１の実施の形態の建具は折戸である。
前記折戸は、枠体１と、折曲自在に連結した第１の扉体２ａ、第２の扉体２ｂを備え、前記枠体１が建具枠で、第１の扉体２ａと第２の扉体２ｂが建具体である。
前記枠体１は、上枠１０と下枠１１と左右の縦枠１２，１２を方形状に連結してある。
前記第１の扉体２ａ、第２の扉体２ｂは、吊元縦框２０と戸先縦框２１と上框２２と下框２３を方形状に連結し、その内部にガラス等のパネル２４を装着してある。
【００１３】
前記第１・第２の扉体２ａ，２ｂの戸先縦框２１は図３に示すように連結部材３で室内側（浴室側）と室外側（脱衣室側）に向かう方向に回動自在に連結されている。
前記第１の扉体２ａの吊元縦框２０の上下にはヒンジ部材４が取付けてあり、その上のヒンジ部材４は上枠１０に連結され、下のヒンジ部材４は下枠１１に連結されて、第１の扉体２の吊元縦框２０は枠体１に室内外側方向に回動自在に連結されている。
前記吊元縦框２０には上のヒンジ部材４を上下に移動するための操作部材５が設けてある。
この操作部材５は室外側から操作可能で、その操作部材５を操作して上のヒンジ部材４を下方に移動すると上枠１０から離脱する。
【００１４】
前記第２の扉体２ｂの吊元縦框２０の上下には摺動部材６が取付けてあり、その上の摺動部材６は上枠１０に沿って長手方向に移動自在に支承され、下の摺動部材６は下枠１１に沿って長手方向に移動自在に支承されて、第２の扉体２ｂの吊元縦框２０は枠体１の上下枠１０，１１の長手方向に移動自在に支承されている。
例えば、図２に示すように上枠１０、下枠１１はレール１０ａ，１１ａを有し、前述した上の摺動部材６はレール１０ａに沿って長手方向に摺動し、前述した下の摺動部材６は下枠１１のレール１１ａに沿って長手方向に摺動する。
前記吊元縦框２０には上の摺動部材６を上下に移動するための操作部材７が設けてある。
この操作部材７は室外側から操作可能で、その操作部材７を操作して上の摺動部材６を下方に移動すると上枠１０から離れる。
【００１５】
このようであるから、第１の扉体２ａと第２の扉体２ｂの戸先縦框２１，２１を室内側に向けて突出することで、第１・第２の扉体２ａ，２ｂが折曲して開き状態となる。第１・第２の扉体２ａ，２ｂを直線状とすることで閉じ状態となる。
【００１６】
前記第２の扉体２ｂの戸先縦框２１の上部にはロック部材８が上方のロック位置と下方のロック解除位置とに亘って上下に移動自在に取付けてある。
このロック部材８を上方のロック位置と下方のロック解除位置とに亘って上下に移動する操作部材９が前述の第２の扉体２ｂの戸先縦框２１に設けてある。
前記第１・第２の扉体２ａ，２ｂを閉じた状態で、前記操作部材９を操作してロック部材８を上方に移動してロック位置とすると、上枠１０と係合して第１・第２扉体２ａ，２ｂを閉じ状態でロックし、開き動作できないようにしてある。
前記ロック部材８の操作部材９は室内側と室外側の両方から操作できるようにしてある。
【００１７】
前述のようであるから、浴室用の折戸の場合に、浴室使用者が浴室内で倒れた非常時等には、脱衣室側から操作部材５，７を操作して上のヒンジ部材４、上の摺動部材６を下方に移動して上枠１０から離脱することにより、第１の扉体２ａと第２の扉体２ａを脱衣室側から取り外しできる。
なお、浴室使用者が浴室側から操作部材９を操作してロック部材８を上方に移動してロック位置としてある場合には、脱衣室側から操作部材９を操作してロック部材８を下方のロック解除位置とする。
【００１８】
次に、上のヒンジ部材４と操作部材５の詳細を説明する。
図４に示すように、上のヒンジ部材４はケース４０と回転子４１を備えている。
前記ケース４０は、吊元縦框２０の中空部２０ａ内に嵌合して取付けてあり、このケース４０内に回転子４１が回転及び上下動可能に嵌合してある。
前記回転子４１はバネ４２で上方に移動され、その上部が上枠１０のレール１０ａに回転しないように係合している。例えば、レール１０ａに切欠部１０ｂを形成し、回転子４１の上部の幅狭い突片部４１ａを切欠部１０ｂに嵌め合わせて回転しないように係合している。
これにより、回転子４１に対してケース４０が回転するので、吊元縦框２０が上枠１０に回転可能に支承される。
【００１９】
前記回転子４１は操作部材５に回転可能で、操作部材５とともに下方に移動するように連結されている。
例えば、回転子４１に連結材４３を設け、この連結材４３を操作部材５の上部に回転可能で、かつ上方には移動できないように連結してある。
これによって、操作部材５を矢印で示すように下方に移動することで、図５に示すように回転子４１がバネ４２に抗して下方に移動し、上枠１０のレール１０ａと離れる。
【００２０】
この実施の形態では、後述するように上のヒンジ部材４とともに操作部材５を吊元縦框２０の中空部２０ａ内に挿入して取付けるので、前記連結材４３は操作部材５に回転自在で、かつ上下方向に動かないように連結されている。
【００２１】
次に、前記操作部材５の詳細を図４〜図８に基づいて説明する。
前記吊元縦框２０は間隔を置いて対向した２つの板状部２０ｂ、２０ｃを有している。例えば、吊元縦框２０は室内側板２５と室外側板２６と内側板２７と外側板２８で中空部２０ａを有し、その内側板２７にパネル装着部２７ａを設けた形状で、その室内側板２５と室外側板２６が室内外側方向に間隔を置いて対向し、前記２つの板状部２０ｂ，２０ｃとしてある。この室内側板２５、室外側板２６に開口部２９がそれぞれ形成してある。
前記吊元縦框２０は中空形状に限ることはなく、コ字形状などでもよい。
【００２２】
前記操作部材５は、本体５０と、この本体５０に設けた弾性部材５１と、その弾性部材５１に設けた操作部５２を備えている。
前記本体５０は、対向した２つの側面５０ａが前記吊元縦框２０の対向した２つの板状部２０ｂ，２０ｃの内面に接触して２つの板状部２０ｂ，２０ｃ間に摺動自在に挿入される。
前記弾性部材５１は本体５０に対して前記板状部２０ｂ，２０ｃに向かう方向に弾性変形可能である。
前記操作部５２は、本体５０の側面５０ａよりも側方に張り出し、その操作部５２が前記板状部２０ｂ，２０ｃの内面に接することで前記弾性部材５１が弾性変形する。
この操作部５２は前記開口部２９よりも小さい。
【００２３】
図８（ａ）に示すように、前記操作部材５を吊元縦框２０の中空部２０ａ内に長手方向から挿入すると、その本体５０の側面５０ａが板状部２０ｂ，２０ｃの内面に接触しながら長手方向に摺動し、操作部５２が板状部２０ｂ，２０ｃの長手方向の端面に接する。この状態から操作部材５を強い力で押し込むことで、操作部５２が中空部２０ａ内に押し込められて弾性部材５１が順次弾性変形して操作部５２の側面５２ａが板状部２０ｂ，２０ｃの内面に接する（図８（ｂ））。
図８（ｂ）に示す状態から操作部材５を更に押し込みして操作部５２が開口部２９と対向すると、弾性部材５１が弾性復元して操作部５２が開口部２９から突出する（図４参照）。
【００２４】
前記吊元縦框２０の開口部２９の当該吊元縦框２０の長手方向の寸法Ｌ１は操作部５２の前記吊元縦框２０の寸法Ｌ２よりも大きく、操作部５２は開口部２９に対して吊元縦框２０の長手方向に移動可能である。
また、操作部材５の本体５０は対向した２つの板状部２０ｂ，２０ｃの内面に沿って長手方向に移動可能に支承されている。
これによって、操作部材５が吊元縦框２０に長手方向に移動自在に取付けられ、その操作部５２に指を掛けて操作部材５を図４に示す状態から下方に移動することで、図５に示すように下方の位置として上のヒンジ部材４を下方に移動できる。
【００２５】
このようであるから、操作部材５を吊元縦框２０内に長手方向から挿入することで取付けでき、その操作部材５を吊元縦框２０に簡単に取付けできる。
【００２６】
前記操作部材５の具体形状を説明する。
前記本体５０は、第１本体部５３と第２本体部５４と第１側面板５５と第２側面板５６により、その第１・第２本体部５３，５４が短辺で、第１・第２側面板５５，５６が長辺となった略長方形の枠形状で、前記第１・第２本体５３，５４の両側面と第１・第２側面板５５，５７が面一に連続して本体５０の両側面５０ａとしてある。
前記第１・第２側面板５５，５６の幅方向両側寄りに一対のスリット５５ａ，５６ａを長辺方向に連続して形成し、その一対のスリット５５ａ，５６ａ間の幅方向中間部分５５ｂ，５６ｂを弾性変形し易くして弾性部材５１としてある。
前記第１・第２側面板５５，５６の幅方向中間部分５５ｂ，５６ｂの長辺方向の中間に操作部５２を設けてある。
【００２７】
このようであるから、取付けた状態で本体５０の第１・第２本体５３，５４の両側面と第１・第２側面板５５，５６のスリット５５ａ，５６ａの外側部分が吊元縦框２０の対向した２つの板状部２０ｂ，２０ｃに接しているので、操作部材５を吊元縦框２０に安定して支持できる。
また、第１・第２側面板５５，５６のスリット間の部分５５ｂ，５６ｂは小さい外力で弾性変形すると共に、操作部５２が前述の板状部２０ｂ，２０ｃの内面に接することでほぼＶ字状に弾性変形するから、操作部材５を吊元縦框２０に押し込む力が小さくて良い。
これらが相俟って、操作部材５を吊元縦框２０により簡単に取付けできると共に、取付けした状態で操作部材５をスムーズに吊元縦框２０の長手方向に移動できる。
【００２８】
また、本体５０と弾性部材５１が一体であるから部品点数が少ないし、本体５０と弾性部材５１を連結する作業が不要である。
【００２９】
すなわち、前述の操作部材５は本体５０、弾性部材５１、操作部５２が一体として樹脂を用いた射出成形で成形してある。
これに限ることはなく、弾性部材５１と操作部５２を別体としても良い。
【００３１】
前述の操作部材５では一対の弾性部材５１と２つの操作部５２を有しているが、弾性部材５１と操作部材５２をそれぞれ１つのみとしても良い。
例えば、第２側面板５６にスリット５６ａを形成せずに、弾性部材５１を有しないものとする。
【００３２】
前記上のヒンジ部材４の連結材４３と操作部材５は、その連結材４３を第１本体部５３の孔５３ａに挿入してフランジ部４３ａを第１本体部５３の上面に接し、第１本体部５３の下面から突出した部分をカシメ等で抜け止めして連結してある。
【００３３】
前記操作部５２は図７に示すように、指掛け部分５２ｂと保持部分５２ｃを有している。
前記指掛け部分５２ｂの突出方向の寸法（厚さ）が大きく、保持部分５２ｃの突出方向の寸法（厚さ）が小さく、かつ移動方向の端部が傾斜面となっている。
そして、操作部材５を図５に示すように下方に移動して上のヒンジ部材４を下方に移動した時に、保持部分５２ｃが吊元縦框２０の２つの板状部２２ｂ，２２ｃの内面に接し、操作部材５を強固に保持するので、上のヒンジ部材４の回転子４１がバネ４２で上方に移動しないようにできる。
【００３４】
したがって、扉体を室外側（脱衣室側）から取り外しする作業がやり易い。
【００３５】
次に、上の摺動部材６と操作部材７を説明する。
図９に示すように、上の摺動部材６は、前述の上のヒンジ部材４と同様に、吊元縦框２０の中空部２０ａに嵌合して取付けたケース６０と、このケース６０内に上下動自在に設けた摺動子６１と、バネ６２を備え、そのバネ６２で摺動子６１の凹溝６１ａを上枠１０のレール１０ａに嵌め込み、その摺動子６１を上枠１０のレール１０ａに沿って長手方向にスライド自在としてある。
前記摺動子６１に設けた連結材６３を操作部材７に連結してある。
そして、操作部材７を下方に移動すると摺動子６１が下方に移動して上枠１０のレール１０ａと離れる。
【００３６】
前記操作部材７は前述した上のヒンジ部材４を操作する操作部材５と同様である。
この場合には摺動子６１が回転しないので、連結材６３を操作部材７の本体５０の第１本体部５０の第１本体部５３に一体的に連結してある。
【００３７】
次に、ロック部材８と操作部材９を説明する。
図１０に示すように、ロック部材８は戸先縦框２１の中空部２１ａに嵌合して取付けたケース８０と、このケース８０内に上下動自在に設けたロック片８１と、このロック片８１を操作部材９に連結する連結材８２を備えている。
前記中空部２１ａは図３に示すように矩形状で、対向した２つの板状部２１ｂ，２１ｃは平行となっている。
【００３８】
前記操作部材９は各操作部材５，７と同様である。
【００３９】
前記操作部材９を上方に移動してロック片８１を上方に移動すると上枠１０のレール１０ａの室外側（脱衣室側）に係止して室内側（浴室側）に移動しないようにロックする。
この時、ロック片８１に設けた係止突部８１ａがケース８０の係止部８０ａに係止し、ロック片８１をロック位置に保持する。
前述の状態から操作部材９を下方に移動すると、ロック片８１が下方に移動して上枠１０のレール１０ａから離れてロック解除位置となる。
【００４０】
次に、第２の実施の形態を説明する。
この実施の形態の建具はドアである。
図１１に示すように、ドア枠７０にドア９０を回転自在に取付けてドアとしてある。
前記ドア枠７０は上枠７１と下枠７２と左右の縦枠７３で方形状で、建具枠である。
前記ドア９０は、吊元縦框９１と戸先縦框９２と上框９３と下框９４を方形状に連結し、その内部にパネル９５を装着したもので、建具体である。
【００４１】
前記吊元縦框９１の上下がヒンジ９６で上枠７１、下枠７２に回動自在に連結されている。
この上のヒンジ９６は操作部材９７を操作することで上枠７１と分離できるようにしてある。
前記戸先縦框９２には開閉操作用の操作部材１００が取付けてある。
【００４２】
前記上のヒンジ９６は図１２に示すように、吊元縦框９１の中空部９１ａに嵌合して取付けたケース９６ａと、そのケース９６ａに上下動自在に取付けた軸９６ｂと、上枠７１に取付けた軸受９６ｃを備え、その軸９６ｂをバネ９６ｄで上方に移動して軸受９６ｃに嵌合して吊元縦框９１の上部を上枠７１に回動自在に連結している。
【００４３】
前記操作部材９７は前述した操作部材５，７，９と同様に本体５０、弾性部材５１、操作部５２を備え、吊元縦框９１の中空部９１ａ内に長手方向に挿入して取付けることで、操作部５２が吊元縦框９１の対向した２つの板状部９１ｂ，９１ｃの開口部９１ｄから側方に突出する。
そして、前記本体５０の上部が連結材９６ｅで軸９６ｂに連結されている。
前記操作部材９７を下方に移動することで図１３に示すように軸９６ｂが軸受９６ｃから抜け出し、吊元縦框９１の上部と上枠７１が分離される。
【００４４】
前記開閉操作用の操作部材１００は、図１４と図１５に示すように、前述した各操作部材５，７，９，９６と同様に、本体５０と弾性部材５１と操作部５２を備え、戸先縦框９２の中空部９２ａ内に長手方向から挿入して取付けることで、操作部５２が戸先縦框９２の対向した２つの板状部９２ｂ，９２ｃの開口部９２ｄから突出する。
前記操作部５２は図１４、図１５に示すように把手形状として手で握ることができるようにしてある。
また、操作部材１００は戸先縦框９２に対して長手方向に移動する必要がないので、図１５に示すように開口部９２ｄの上下寸法と把手部５２の上下寸法が略同一としてある。
【００４５】
次に、第３の実施の形態を説明する。
この実施の形態の建具は引き窓である。
図１６に示すように、窓枠１１０に障子１２０を面内方向に移動自在に取付けて引き窓（引戸）としてある。
前記窓枠１１０は、上枠１１１と下枠１１２と左右の縦枠１１３を方形状に連結したもので、前述の建具枠である。
前記障子１２０は、戸先縦框１２１と戸尻縦框１２２と上框１２３と下框１２４を方形状に連結し、その内部にガラス１２５を装着したもので、建具体である。
前記戸先縦框１２１には開閉操作用の操作部材１３０が取付けてある。
【００４６】
操作部材１３０は、図１７、図１８に示すように前述した各操作部材５，７，９，１００と同様に、本体５０と弾性部材５１と操作部５２を備えている。
そして、本体５０を戸先縦框１２１の中空部１２１ａに挿入することで操作部５２が２つの対向した板状部１２１ｂ，１２１ｃに形成した開口部１２１ｄから突出する。
この操作部材１３０は戸先縦框１２１の長手方向に移動する必要がないので、開口部１２１ｄの上下方向と操作部５２の上下寸法を同一としている。
【００４７】
前述の実施の形態においては、各開口部２９，９１ｄ，９２ｄ，１２１ｄの周縁にリング形状のカバーを取付けて開口部の端面が見えないようにすることができる。
また、以上の各実施の形態では、操作部材を縦框に取付けしたが、上框や下框に取付けることもできる。
要するに、建具体を形成する框に取付けできる。
【図面の簡単な説明】
【００４８】
【図１】折戸の実施の形態を示す正面図である。
【図２】図１のＡ−Ａ断面図である。
【図３】図１のＢ−Ｂ断面図である。
【図４】図１のＣ−Ｃ拡大断面図である。
【図５】ヒンジ部材を下方に移動した状態の断面図である。
【図６】図４のＤ−Ｄ断面図である。
【図７】操作部材の斜視図である。
【図８】操作部材の取付け説明図である。
【図９】図１のＥ−Ｅ拡大断面図である。
【図１０】図１のＦ−Ｆ拡大断面図である。
【図１１】ドアの実施の形態を示す正面図である。
【図１２】図１１のＧ−Ｇ拡大断面図である。
【図１３】ヒンジの軸を下方に移動した状態の断面図である。
【図１４】操作部材の斜視図である。
【図１５】図１１のＨ−Ｈ拡大断面図である。
【図１６】引き窓の実施の形態を示す正面図である。
【図１７】操作部材の斜視図である。
【図１８】図１６のＩ−Ｉ拡大断面図である。
【符号の説明】
【００４９】
１…枠体（建具枠）、２ａ…第１扉体（建具体）、２ｂ…第２扉体（建具体）、５…操作部材、７…操作部材、９…操作部材、２０…吊元縦框、２０ｂ…板状部、２０ｃ…板状部、２１…戸先縦框、２１ｂ…板状部、２１ｃ…板状部、２９…開口部、５０…本体、５１…弾性部材、５２…操作部、１００…操作部材、１３０…操作部材。
【図１】
0004963102.tif 000002
【図２】
0004963102.tif 000003
【図３】
0004963102.tif 000004
【図４】
0004963102.tif 000005
【図５】
0004963102.tif 000006
【図６】
0004963102.tif 000007
【図７】
0004963102.tif 000008
【図８】
0004963102.tif 000009
【図９】
0004963102.tif 000010
【図１０】
0004963102.tif 000011
【図１１】
0004963102.tif 000012
【図１２】
0004963102.tif 000013
【図１３】
0004963102.tif 000014
【図１４】
0004963102.tif 000015
【図１５】
0004963102.tif 000016
【図１６】
0004963102.tif 000017
【図１７】
0004963102.tif 000018
【図１８】
0004963102.tif 000019